(57)【要約】  モバイル計算装置及びデータパケッジ受け取り方法を提供する。このモバイル計算装置はネットワーク通信モジュールと、モバイル計算ユニットとを含める。そこに、このモバイル計算装置は、前記モバイル計算ユニットがシャットダウン状態にある時、前記ネットワーク通信モジュールへの電力供給の電源を備える。これによって、前記ネットワーク通信モジュールは、前記モバイル計算装置がシャットダウン状態にあってもネットワークからのデータパケッジを受け取られる。前記データパケッジ受け取り方法は、ネットワークからのデータパケッジを受け取ったとき、通信内容のダウンロードを起動するコマンドを発信するステップと、通信内容ダウンロードに必要な関連ハードウェアに電力を供給するステップと、前記関連ハードウェアを初期化し、通信内容のダウンロードに応じてソフトウェアをスタートするステップと、必要な通信内容をネットワークからローカルハードディスクにダウンロードするステップとを含む。本発明は通信業務をリアルタイム的に受け取ることを実現すると共に、速やかな起動と自動的なシャットダウン操作ができ、それにより消費電力が削減される。
2009524126.tif 000002
【特許請求の範囲】
【請求項１】
ネットワーク通信モジュールと、モバイル計算ユニットとを含むモバイル計算装置において、
前記モバイル計算装置がシャットダウン状態にあっても前記ネットワーク通信モジュールはネットワークからのデータパケッジを受け取られるように、前記モバイル計算ユニットがシャットダウン状態にある時、前記ネットワーク通信モジュールへ電力を供給する電源を備えることを特徴とするモバイル計算装置。
【請求項２】
前記ネットワーク通信モジュールはWANモジュールまたは有線ネットワークアダプターを含めることを特徴とする請求項１に記載のモバイル計算装置。
【請求項３】
前記電源はネットワーク通信モジュールが備える電源またはホストマシンの電源であることを特徴とする請求項２に記載のモバイル計算装置。
【請求項４】
前記モバイル計算ユニットは組み込みコントローラ、電源コントローラおよびハードウェアを含め、
前記組み込みコントローラはコマンドを受けると、前記電源コントローラへの電力供給のタイミングを制御して、前記モバイル計算装置のハードウェアに電力を供給すると同時に、BIOSがハードウェアを初期化すること特徴とする請求項１〜３のいずれか１項に記載のモバイル計算装置。
【請求項５】
前記ハードウェアは、ネットワークからのデータパケッジを受け取るために必要なハードウェアである関連ハードウェアを含むことを特徴とする請求項４に記載のモバイル計算装置。
【請求項６】
前記関連ハードウェアはCPU、チップセット、メモリ、HDD、光ディスクを含めることを特徴とする請求項５に記載のモバイル計算装置。
【請求項７】
モバイル計算装置がシャットダウン状態にある時、ネットワークからのデータパケッジを受け取るモバイル計算装置のデータパケッジ受け取り方法であって、
１．ネットワークからのデータパケッジを受け取ったとき、通信内容ダウンロードをスタートするコマンドを発信するステップと、
２．通信内容のダウンロードに必要な関連ハードウェアに電力を供給するステップと、
３．前記関連ハードウェアを初期化し、通信内容のダウンロードに応じてソフトウェアを起動するステップと、
４．必要な通信内容をネットワークからローカルハードディスクにダウンロードするステップと、
を備えることを特徴とするモバイル計算装置のデータパケッジ受け取り方法。
【請求項８】
５．前記データダウンロードを終了した後、前記モバイル計算装置をシャットダウンするステップをさらに備えることを特徴とする請求項７に記載のモバイル計算装置のデータパケッジ受け取り方法。
【発明の詳細な説明】
【技術分野】
【０００１】
本発明は、モバイル計算装置、及びそのデータパケッジ受け取り方法に関するものである。
【背景技術】
【０００２】
最近、WAN無線ネットワーク技術が飛躍的に発展され、バンドも大きく前進した。これによって、大きく発展されたモバイル計算を基にして、無線通信ができ、ユーザに非凡な応用体験を持たらした。
【０００３】
従来、モバイル計算を行うとき、電池容量の限界に問題がある。そして、一般的に、電池の電力消費を削減するため、モバイル計算装置は多くの節電技術の利用を必要とする。一般的に、モバイル計算装置をシャットダウンするか、またはモバイル計算装置の通信性能あるいはほかの性能を降下することによって、消費電力を削減して、電池使用時間を延ばす。
【発明の開示】
【発明が解決しようとする課題】
【０００４】
通常、モバイル計算装置を使用しないとき、シャットダウン状態にして消費電力を削減する。しかしながら、シャットダウン状態にすれば、モバイル計算装置はネットワークからのデータパケッジを受け取ることができない。それによって、通信を行いたいとき、現在の技術によれば、すべてのハードウェアを含むシステム全体を起動しなければならない、また、手作業でいくつかのオペレーションシステムと応用システムを起動する。このような操作は、電力を消費するだけでなく、ユーザがモバイル計算装置を操作してすべての通信を本地にダウンロードする必要があり、比較的に時間がかかる。有線ネットワークを有するコンピュータシステムにおいても同様な状況が生じる。
【０００５】
本発明は、モバイル計算装置を提供することを目的とする。
本発明は、モバイル計算装置のデータパケッジ受け取り方法を提供することをもう一つの目的とする。
【課題を解決するための手段】
【０００６】
本発明のモバイル計算装置は、ネットワーク通信モジュールと、モバイル計算ユニットと、を有するモバイル計算装置であって、前記モバイル計算装置がシャットダウン状態にあっても前記ネットワーク通信モジュールはネットワークからのデータパケッジを受け取られるように、前記モバイル計算ユニットがシャットダウン状態にある時、前記ネットワーク通信モジュールへ電力を供給するの電源を備える。
【０００７】
本発明のモバイル計算装置のデータパケッジ受け取り方法は、前記モバイル計算装置がシャットダウン状態にある時、ネットワークからのデータパケッジを受け取るときに利用され、
1.ネットワークからのデータパケッジを受け取ったとき、通信内容ダウンロードをスタートするコマンドを発信するステップと、
2.通信内容のダウンロードに必要な関連ハードウェアに電力を供給するステップと、
3.前記関連ハードウェアを初期化し、通信内容のダウンロードに応じてソフトウェアを起動するステップと、
4.必要な通信内容をネットワークからローカルハードディスクにダウンロードするステップと、
を備える。
【０００８】
5.ダウンロードを終了した後、関連ハードウェアの電源をシャットダウンするステップをさらに備えることが望ましい。
【発明の効果】
【０００９】
予備電源またはホストマシンの電力供給などの手段によって、ネットワーク通信モジュールへ電力を供給し、モバイル計算装置を起こして、通信業務をリアルタイム的に受け取ることを実現する。また、異なる操作毎にモバイル計算装置の起動ハードウェアを配置し、速やかな起動を実現でき、更にモバイル計算装置の消費電力を削減し、モバイル計算装置の電池使用時間を延ばすことができる。
【発明を実施するための最良の形態】
【００１０】
以下、本発明のモバイル計算装置、およびそれがシャットダウン状態にあるときデータパケッジの受け取りを実現する方法について図面を参照しながら説明する。図面において、無線ネットワークを例として説明するが、有線ネットワークにも本発明を適用できる。
【００１１】
図1に示すように、本発明のモバイル計算装置は、WANモジュール11と、モバイル計算ユニット12とを含む。その中、WANモジュール11について、モバイル計算設備がシャットダウン状態になった後も、通信ネットワーク通してネットワークからのデータパケッジを受け取られるため、コンピュータ設備がシャットダウン状態になった後もそれに電力を供給し、正常な作動状態にする必要があることは、従来の技術と違う点である。
【００１２】
電源を獲得する最も簡単な方法は、WANモジュール11自身は予備電源、たとえば、電池を有する。モバイル計算設備はオン状態にあるとき、モバイル計算ユニット12は、それとWANモジュール11の電気インターフェースを通して、WANモジュール11に電力を供給し、予備電源に充電する。また、モバイル計算設備はシャットダウン状態にあるとき、WANモジュール11は予備電源を利用して独立的に動作する。当業者にとっては、モバイル計算設備はシャットダウン状態にあるとき、WANモジュール11に電力を供給する方法がいくつかあり、前記の予備電源の利用に限らないことは言うまでもない。
【００１３】
さらに、図1には、モバイル計算ユニット12は通常のノート型コンピュータまたはほかの類似機能を持つモバイル端末であり、起動後、WANモジュールを介して通信ネットワークと情報を交換することができる。
【００１４】
以下、ノート型コンピュータを例として、本発明のモバイル計算装置がシャットダウン状態でのネットワークからのデータパケッジを受け取る方法を説明する。
【００１５】
ノート型コンピュータ（本発明のモバイル計算ユニットに相当する）には、組み込みコントローラ（EC）、CPU、HDD、メモリ、チップセット、電源コントローラなどを常に配置している。本発明によれば、異なる動作に対して、これらのハードウェアを分類する。ネットワークからのデータパケッジを受け取るために必要なハードウェアは一種類として、ほかのハードウェアは別の種類とする。図1に示すように、ネットワークからのデータパケッジを受け取るために必要なハードウェアはCPU、チップセット、メモリ、HDD、光ディスクなどを含める。これと関係しない他のハードウェアはVGA、IO、VGAアダプター、OPDおよびディスプレーなどを含める。
【００１６】
図2に示すように、予備電源を供給することによって、WANモジュール11をシャットダウン状態でも継続的に作動させる。WANモジュール11はネットワークからのデータパケッジを受け取ったとき、モバイル計算ユニット12へ通信内容のダウンロードをスタートするコ
マンドを発信し、このコマンドによって、モバイル計算ユニット12の中の組み込みコントローラを起こす（ステップ201）。ここで、このようなコマンドはモバイル計算ユニット12が実行できる従来のコマンドのフォーマットと内容を備え、たとえば、メールをダウンロードするコマンドでもよいし、または、光ディスクを読み取るコマンドでもよい。
【００１７】
具体的には、組み込みコントローラはその中の所定のGPIOインターフェースをWANモジュール11の一つの対応する出力ピンに接続することで、割り込みを検知することができる。該GPIOインターフェースでWANモジュール11からのコマンドを検知したら、それをWANモジュール11の起動信号として判断する。
【００１８】
次に、組み込みコントローラは、このコマンドによって起こされた後、電源コントローラの電力供給のタイミングを制御し、モバイル計算ユニット12を起動する（ステップ202）。
【００１９】
ここの起動は装置全体の起動でもよいし、または、受け取ったコマンドと関連するハードウェア配置を選択的に起動するでもよい。装置全体の起動の場合には、従来の起動方法と同じである。コマンドによる選択的起動の場合には、組み込みコントローラにおいてネットワークからのデータパケッジの受け取りに必要な各種作動、および各作動に利用されるハードウェアに基づいて、事前に相応する配置を行う（たとえば、相応の配置表を設置する）。これによって、モバイル計算装置をシャットダウン状態から新たに起動するとき、装置全体を起動する必要がなく、この配置表に基づいて相応するハードウェアを起動すればよい。即ち、本作動に関係しないほかの設備、たとえば、USB、ディスプレーアダプター、ディスプレー、キーボードコントローラなどを起動しない。これによって、モバイル計算ユニットの速やかな起動を実現でき、一方、モバイル計算装置の消費電力を削減し、電池使用時間を延ばすことができる。
【００２０】
具体的な操作種類と相応するハードウェア起動配置は表1に示す（相応の操作を実現するため、このモバイル計算装置の中に相応のソフトウェアを設置した）。
【００２１】
【表１】
2009524126.tif 000003
【００２２】
表1から分るように、メールの受け取り操作に対しては、この設置表にはメールを受け取るために起動するハードウェアがCPU、MEM、HDDおよびチップセットに設定されている。また、リモート光ディスクのファイルの読み取りに対しては、CPU、MEM、光ディスクおよびチップセットを起動する必要があり、読み取りコマンドを受け取ると、読み取りに相応するハードウェアを起動し、読み取ったファイルをプレイする。
【００２３】
起動中、BIOSは、このときの起動はWANモジュール11が組み込みコントローラを起こす場合の起動であると検知した場合、操作種類に応じて対応するハードウェアを初期化した後、当該操作に対応するソフトウェアを起動する（ステップ203）。前記GPIOをサウスブリッジ（south bridge）レジスタに接続し、当該BIOSは、サウスブリッジレジスタを検知
することによって、このときの起動がWANモジュール11の組み込みコントローラを起こす起動かどうかを判断するように、ステップ203でのBIOSの検知を達成される。
【００２４】
次に、ステップ204で、そのソフトウェアを利用して、WANモジュール11を通して必要なダウンロードデータを無線ネットワークからローカルハードディスクにダウンロードする。
【００２５】
ネットワークを介してメールを受け取る例には、BIOSによる起動の後、組み込みLINUXオペレーションシステム（最も小さいLINUXオペレーションシステムであってもよい）を起動して、ネットワークとの接続を行う。そして、NOTES自動複製プログラムを起動して、サーバにおけるのすべてのメールをローカルハードディスクにダウンロードする。
さらに、前記データのダウンロードを終えた後、モバイル計算装置をシャットダウンすることもよい（ステップ205）。
【００２６】
たとえば、前記の例には、メールのダウンロードを終えた後、NOTES自動複製プログラムはLINUXオペレーションシステムへ複製終了の信号を自動に発信する。LINUXオペレーションシステムは受信した信号に基づいて、自動シャットダウンプログラムを実行する。
以上の記述から分かるように、本発明は下記の利点がある。
【００２７】
1．予備電源またはホストマシンの電力供給などの手段によって、WANモジュールへ電力を供給することによって、モバイル計算装置を起こし、通信業務をリアルタイム的に受け取ることを実現することができる。
【００２８】
2．異なる操作に対してモバイル計算装置の起動ハードウェアを配置することで、速やかな起動を実現でき、更にモバイル計算装置の消費電力を削減し、モバイル計算装置の電池使用時間を延ばすことができる。
【００２９】
以上は、図1、図2およびその説明によって、無線ネットワークへの本発明の応用を説明したが、本発明が有線ネットワークにも適用できることは理解すべきである。有線ネットワークに適用する場合、WANモジュールの代わりに有線ネットワークアダプター利用すればよい。有線ネットワークアダプターへの電力供給がWANモジュールへの電力供給と同じであり、そのほかの処理も同じであるので、その説明を省略する。
【００３０】
本発明は上述実施例に限るものでなく、当業者が本明細書を読んだ後、本発明について行った簡単な修正、変更または同等の方案も、本発明の請求書が保護請求する範囲に含まれる。
【図面の簡単な説明】
【００３１】
【図１】図1は本発明におけるモバイル計算機器の構造を示す図である。
【図２】図2は本発明におけるモバイル計算装置のデータパケッジ受け取り方法のフローチャートである。
【図１】
2009524126.tif 000004
【図２】
2009524126.tif 000005
【国際調査報告】
2009524126.tif 000006
2009524126.tif 000007
2009524126.tif 000008
2009524126.tif 000009
2009524126.tif 000010
2009524126.tif 000011